(57)【要約】      （修正有）【課題】釣竿を常に安定して受け止め得るチョイ合わせ釣竿受けを提供する。【解決手段】釣竿受けロッド５ａ、５ｂ、５ｃを全体長さを固定設定させ、上にＶ形状態に開いた先竿受部１７と上にＵ形状態に開いた元竿受部１８を用いて、Ａを４５センチから１２０センチまで調整し、同時に、突っ張り板１５を用いて立てかけ、ストッパー１４にて締めて釣竿受けロッド５ａ、５ｂ、５ｃを傾斜角度に固定させ、固定した基板３の上に、セットネジ２５を軸として基台１を釣竿１９の先端部の角度を３０度以内で調整固定させ、固定した基板３に伸縮調整自在の三脚の台座４を固着し、三脚台座４の中央部下に、４．５キログラムのウエイトベース１３を吊り下げることにより、高さが隆起した地面に設置された三脚の台座４の三脚軸７ａ、７ｂ、７ｃを広げ、伸ばして釣竿１９をしっかり保持させ、基台１の他端に、天板２１にてカードレール２２に固定装着機能を構成させた。【選択図】  図１
2004187664.tif 000002
【特許請求の範囲】
【請求項１】
基台（１）の一端に支持台板（２）を、その他端に設定長さを締め具（９）により釣竿受けロッド（５ａ）、（５ｂ）、（５ｃ）を全体長さを固定設定させることにより、上にＶ形状態に開いた先竿受部（１７）と上にＵ形状態に開いた元竿受部（１８）を用いて、Ａを４５センチから１２０センチまで調整し、同時に、突っ張り板（１５）を用いて立てかけ、ストッパー（１４）にて締めて釣竿受けロッド（５ａ）、（５ｂ）、（５ｃ）を傾斜角度に固定させ、固定した基板（３）の上に、セットネジ（２５）を軸として基台（１）を釣竿（１９）の先端部の角度を３０度以内で調整固定させることにより、釣竿（１９）を安定保持させ機能させたことを特徴とするチョイ合わせ釣竿受。
【請求項２】
固定した基板（３）に足長さ調整可能の三脚の台座（４）を固着し、三脚台座（４）の中央部下に主フック（１０）を装着し、別に基板（３）の他端には補フック（１１）を下方向に装着した三脚台座（４）に選択して  ４．５キログラムのウエイトベース（１３）を吊り下げることにより、高さが隆起した地面に設置された三脚の台座（４）の三脚軸（７ａ）、（７ｂ）、（７ｃ）を広げ、伸ばしてしっかり締め具（９）にて固着させ、釣竿（１９）をしっかり保持させたことを特徴とする請求項１記載のチョイ合わせ釣竿受。
【請求項３】
基台（１）の他端に、天板（２１）を一定の角度にて保持させた引っ掛かり部分を構成し、ガードレール（２２）に固定装着可能な機能を構成させたことを特徴とする請求項１及び請求項２記載のチョイ合わせ釣竿受。
【発明の詳細な説明】
【０００１】
【発明の属する技術分野】
本発明は、使用に際し、釣竿を釣り場に単に置くだけで釣竿を確実に安定して受け止め得る防波堤釣りから磯釣りまで、あらゆる場所での釣竿受けを提供する。
【０００２】
【従来の技術】
従来の釣竿受けには一般に釣竿を三次元的に自由に方向を変えて掛止することができる釣竿受けを提供している。
【０００３】
【特許文献１】
特開平０５−１５３８９０号公報  （第１−４頁、第１図）
【発明が解決しようとする課題】
【０００４】
従来の技術には、一次支持型、二次支持型とに大きく分けることができ、一次支持型の釣竿受けは、脚の上端部に、釣竿毎にそれを受け止めるＵ字形ないしＶ字形の掛止部が設けられ、使用にあたり釣竿の基端近くをその掛止部に掛けて、他基端を地面に、または手で保持し、釣竿の中央部をその掛止部にて維持させる立て掛け支持型が一般的に使用されている。
【０００５】
また従来の技術は、特許文献１にも示されている二次支持型もあり、即ち、第７図に示す如く、釣竿を受ける前掛止部の他に、その後方に釣竿の基端の持ち上がりを止めるＵ字形と逆Ｖ字形の後掛止部をもうけた支持型も一般的に使用されている。
【０００６】
一般に楽に釣りを楽しむために、河川に携帯に便利なように、運搬にも楽なように、アルミ製の三脚形式の釣竿受けも利用されているが、多くは第８図に示す如く、ただ釣竿を一箇所にて支え、地面に確実に安定して受け止め得る釣竿受けを提供され、使用されているに過ぎない。
【０００７】
従って、今までに示された発明特許の釣竿受けの形態は、特開平０５−１５３８９０号にも示されているごとく、釣竿を支持する前掛止部がＶ字形に、後掛止部が逆Ｖ字形が一定の距離間隔にて設定され、異なった形態に形成される釣竿受けが殆どである。
【０００８】
更に特開平０５−１５３８９０号公報には釣竿の球体を使用し、釣竿の傾斜方向を縦方向に、横方向に、つまり三次元的に自由な向きに角度掛止できるように構成し、釣竿の先の高さを高くしたり、低くしたり、自由に調整することができる構造ともなっていると述べている。
【０００９】
しかし、これら上述の種々の釣竿受けの形態は、例えば二次支持型では釣竿を全体的に支持するものであるが、釣竿は吊上げ時に前に重心が掛かり易いので、釣竿受けの脚を突き刺すことにより地面に固定する一次支持型か、あるいは、二次支持型を使用し釣る人の重みが加わって固定されない限り、魚に引っ張られて釣竿受けが転倒する不都合があった。
【００１０】
釣竿受けの脚を地面に突き刺すには、地面が軟らかい場合に限られ、岩石上とか、コンクリートの上とか、テトラポットの上とか表面が固く、その固定手段を取ることができなかった。
【００１１】
特に、ガードレールがある場所では、釣竿受けをガードレールに立て掛け固定させる以外に方法がなく、そのためグリップ部を地面に置くことなり、ガードレールに取り付けられる釣竿受け設定システムが、道路の発達により最近大変望まれてきている。
【００１２】
この発明は、上記のような実情に鑑みて、持ち運びが簡単で、隆起した岩場でも、コンクリートの上でも、ガードレール上にも、砂場でも、一次元的に、二次元的に、三次元的に、先願特開平０５−１５３８９０号と異なった方式にて構成した釣竿受けを提供することを目的とした。
【００１３】
【課題を解決するための手段】
上記の目的を達成するため、一定の間隔にて竿の長さに応じて、元釣竿部１８と先釣竿部１７の支持間隔を固定せず、釣竿受け軸５ａ、５ｂ、５ｃの長さを締め具９にて調節し、突っ張り板１５により釣竿受け軸５ａ、５ｂ、５ｃの角度を上下に調節し、先竿受け部１７の離れ距離と元竿受け部１８の高さ位置を設定する機能を設けたことを特徴とする。
【００１４】
また、アルミ製の伸縮調整自在の三脚の機能を利用し、いろんな釣り場に対応させ、三脚を広げて設定させることにより、色んな釣り場でも高さと、安定した設定が取得できる機能を設けたことを特徴とする。
【００１５】
横風等の竿にかかる負荷を軽減し、三脚にウエイトベース１３を吊るすことにより、どんな過酷な魚の引っ張り機能にも耐えられる安定構造を形成したことを特徴とする。
【００１６】
基台１と基板３はセットネジ２５を中心として回転調節可能に構成され、三脚基板３を固定設定したまま、基台１の設定角度調整し、釣竿１９の先端角度を３０度方向変更設定可能状態に形成したことを特徴とする。
【００１７】
本発明の釣竿全体の重さを軽い形態に、持ち運びの便利なように、第６図に示す状態に梱包構成させることができることを特徴とする。
【００１８】
【発明実施の形態】
【００１９】
【作用】
上記の釣竿受けを使用するためには、支持竿８ａ、８ｂ、８ｃをできる限り広く広げ、設定することにより、先竿受け部１７と元竿受け部１８の距離を４５センチから１２０センチまで、調節するようにすると、全長７メートル以内の竿は全て安全に載せることが可能である。
【００２０】
また、元竿受け部１８を支点として先竿受け部１７との先端傾斜角度を大きく変えることにより釣竿の負荷や重量にも耐えることが可能となる。
【００２１】
従って、上記の作用効果を高く取得させるためには、
第１にグリップ部２０から釣竿１９全体を支えることのできる先竿受部１７までの距離の確保。
第２に釣竿１９の重量及び負荷に対応した角度の確保。
が重要である。
【００２１】
【実施例】
次に、この発明の実施例を図面に基づいて説明する。
【００２２】
図１には伸縮調整自在の三脚軸７ａ、７ｂ、７ｃを海岸の岩石の上に締め具９を緩め基板３が水平に設定されるように、また、釣竿１９を支える先竿受部１先端が転倒しないように、十分に広がった支持竿８ａ、８ｂ、８ｃの３本のうち１本ないし２本の支持竿が先竿受部１７の設定位置に最も近い下の位置に設置固定されることを示している。
【００２３】
三脚軸７ａ、７ｂ、７ｃの上部には三脚台座４基板３が固着され、セットボルト２５を軸に基台１が３０度の範囲内にて装着固定される。
基台１の他端部には支持台板２がセットされ、支持台板２の反対側には支持軸６並びに元竿受部１８が装着される。
【００２４】
元竿受部１８はＵ字型の竿受けとなっており、先竿受部１７はＶ字型竿受けとなっており、釣竿１９を共に上から載せるタイプとなっている。
上から載せることができるのは、本発明が両支持間隔が今までの先願特許にはない４５センチから１２０センチの大きい間隔にて釣竿１９を保持するためで、魚が暴れても釣竿１９が元竿受部１８より外れることがないためである。
【００２５】
元竿受部１８の位置はストッパー１４を位置をスライドさせ固着させることにより、突っ張り板１５の支えを変化させ、その調節効果により釣竿受け軸５ａ、５ｂ、５ｃの傾きを起し、釣竿１９を起こす働きをする。
【００２６】
図２は本発明のチョイ合わせ釣竿受を表面が平らな地面である場合に、装着する方法を示しており、を基台１の下にウエイトベース１３を挟み込み、ウエイトベース１３に備えてある蝶ボルトにて基台１と一体に組み合わして用いる。
ウエイトベース１３は４．５キログラムの重さがあり、釣竿受け軸５ａ等が伸びても十分に維持することができる。
【００２７】
図３は道路のガードレールに釣竿を設置しなければならない状況が発生した場合を示し。基台１の一端に装着されている天板２１をガードレール２２の上端部に挟み込み、維持し、垂直にぶら下がった三脚７ａ等と挟んで装着する。
この場合、ウエイトベース１３は補フック１１にぶら下げる。図４はこの装着の見取り図を示している。
【００２８】
図５は釣竿受けの脚を突き刺すことにより地面に固定する一次支持型の実施形態を示し、本発明の釣竿がこんな使用方法もあることが認識できる。この場合もウエイトベース１３の働きが大切であることが十分に感ぜられる。
【００２９】
図６は本発明が持ち運びができる状態を示し、釣竿受け軸５ａ等が、三脚軸７ａ等が、支持軸６が如何にアルミ素材にて作製されているか、この発明品のメリットが感ぜられる。
【００３０】
図７は今日の釣竿受けが殆ど採用している引っ張りタイプの竿置型釣竿受けを示し、図８は竿受型タイプを示している。
【００３１】
【発明の効果】
この発明は、第７図の一定の間隔に設定された先竿受け部２３と逆Ｕ字型の元受け部２４と異なり、支持竿８ａ、８ｂ、８ｃの広がり状態により、釣竿１９を支える間隔を４５センチから１２０センチに調整して釣竿１９をただ上から載せるだけで、釣竿１９が簡単に落下しない、瞬時な「合わせ」の対応ができ、今までにない効果が得られる。
また、魚が掛かった瞬間に釣竿１９は転落もせず、瞬時に手にて釣竿１９を持ち上げられ、また餌をつける場合は載せているだけなので大変楽である。
【００３２】
また、従来の第８図に示す竿置型では、地面に置かれた竿のグリップ部２０を外すのに手間取り、魚の反応に対し瞬時な合わせができない。しかし、本発明は従来の引掛けタイプ構造２４は無く、広い支持基点を持った置き型タイプ１７と１８の構造であるため、瞬時な竿置型タイプへと同様な対応ができ、今までにない効果を得ることができる。
【００３３】
この発明によって、各種の釣や各種の釣り場への適合が可能となる。
即ち、釣り場も岩場や土面、防波堤等のコンクリート、釣堀等の板場等さまざまな形態であり、このため、色んな竿や釣り場に適した竿受けがそれぞれ必要となる。
本発明は一台の竿受けで、これらの種々な釣場に対応できる効果がある。
【００３４】
持ち運びの容易な、並びに組み立ての簡易性を保持した効果も得られる。
即ち、収納がコンパクトにでき、重量も５キログラム程度の軽さで、釣り人が容易に持ち運びでき、組み立ても誰でも簡単にできる効果がある。
【図面の簡単な説明】
【図１】本発明の一実施例を示す斜視図。
【図２】本発明の他の一実施例を示す側面図。
【図３】本発明の他の一実施例を示す側面図。
【図４】本発明の装着状態を示す斜視図。
【図５】本発明の他の装着状態を示す斜視図。
【図６】本発明の運搬状態を示す斜視図。
【図７】従来の技術の一実施例を示す斜視図。
【図８】従来の技術の他の実施例を示す斜視図。
【符号の説明】
１          基台
２          支持台板
３          基板
４          三脚台座
５ａ、５ｂ、５ｃ        釣竿受け軸
６          支持軸
７ａ、７ｂ、７ｃ        三脚軸
８ａ、８ｂ、８ｃ        支持竿
９          締め具
１０        主フック
１１        補フック
１３        ウエイトベース
１４        ストッパー
１５        突っ張り板
１６        支持軸
１７        先竿受け部
１８        元竿受け部
１９        釣竿
２０        グリップ部
２１        天板
２２        ガードレール
２３        先竿受け部
２４        元竿引掛け部
２５        セットネジ
【図１】
2004187664.tif 000003
【図２】
2004187664.tif 000004
【図３】
2004187664.tif 000005
【図４】
2004187664.tif 000006
【図５】
2004187664.tif 000007
【図６】
2004187664.tif 000008
【図７】
2004187664.tif 000009
【図８】
2004187664.tif 000010